(57)【特許請求の範囲】
【請求項１】
工具本体内の割出し可能インサートとインサート受取りポケットの間の回転防止取付け機構であって、
前記インサートが、
切刃内で成端する上面と、下面と、前記上面と前記下面との間の円形側面と、を有し、
前記機構が、
前記インサートの前記側面の周りに配置され、一部が前記インサートの側面に対して傾斜して配置された複数の湾曲停止面を備え、前記複数の湾曲停止面のそれぞれは側端部で画定され、前記側端部は前記上下面の間で鏡対称のＳ状カーブを形成し、前記Ｓ状カーブは前記側面の周りに連続する正弦曲線的形状を形成し、
前記工具本体の前記ポケット内に、締まりばめ接合面を形成する前記湾曲停止面の前記傾斜配置部分を係合するための少なくとも一つの回転防止面を備え、前記湾曲停止面と前記回転防止面が共に部分的に円弧を有する曲線によってほぼ画定され、これによって、前記停止面と前記回転防止面が前記締まりばめ接合面を形成する際に少なくとも一つの線接触で係合する、
回転防止取付け機構。
【請求項２】
前記回転防止面が前記ポケットの下部側面の一体部分である、請求項１に記載の機構。
【請求項３】
前記ポケットが前記インサート側面を係合すると共に支持するための上部側面を有する、請求項２に記載の機構。
【請求項４】
前記湾曲停止面が凹型であり、前記回転防止面が凸型である、請求項１に記載の機構。
【請求項５】
前記湾曲停止面が前記インサート側面の周りに等距離に配置される、請求項４に記載の機構。
【請求項６】
前記回転防止面は前記湾曲停止面の各々と形状が実質的に相補形である、請求項１に記載の機構。
【請求項７】
前記インサートの切刃に丸みがつけられている、請求項１に記載の機構。
【請求項８】
前記インサート受取りポケット内に、前記インサートの二つの異なる停止面を係合するための離間された少なくとも二つの回転防止面を有する、請求項１に記載の機構。
【請求項９】
工具本体内の割出し可能インサートとインサート受取りポケットとの間の回転防止取付け機構であって、
前記インサートが、
丸型切刃内で成端する上面と、下面と、前記上面と前記下面との間の側面と、を有し、
前記機構が、
一部が前記インサートの側面に対して傾斜して配置された前記インサートの前記側面の外周に配置された複数の湾曲停止面を備え、
前記複数の湾曲停止面のそれぞれは側端部で画定され、前記側端部は前記上下面の間で鏡対称のＳ状カーブを形成し、前記Ｓ状カーブは前記側面の周りに連続する正弦曲線的形状を形成し、
前記工具本体の前記ポケットの側壁内に、前記湾曲停止面の前記傾斜配置部分を係合すると共に締まりばめ接合面を形成するための少なくとも一つの回転防止面を備え、前記回転防止面が前記停止面の曲線と実質的に相補形であり、前記停止面を少なくとも一つの線接触で係合し、前記湾曲停止面が凹型であり、前記回転防止面が凸型であり、前記停止面と前記回転防止面が部分的に円弧を有する曲線によって略画定される、
機構。
【請求項１０】
前記回転防止面が前記ポケットの下部側壁内に一体的に形成されており、前記ポケットが前記インサート側面を係合すると共に支持するための上部側面を有している、請求項９に記載の機構。
【請求項１１】
前記湾曲停止面の前記部分的に円弧を有する曲線の各々が一対の対称のＳ字曲線によって順に画定される、請求項９に記載の機構。
【請求項１２】
前記湾曲停止面が前記インサートの前記上面と前記下面との間で深さを増す、請求項９に記載の機構。
【請求項１３】
前記インサート受取りポケットにおいて離間された少なくとも二つの回転防止面を有する、請求項９に記載の機構。
【請求項１４】
前記相補形の停止面と回転防止面が、接触する前に、約１°乃至約１０°で前記インサートを前記ポケット内で回転させる距離だけ離間されており、前記接触がレンズ形状である、請求項９に記載の機構。
【発明の詳細な説明】
【０００１】
【発明の属する技術分野】
本発明は、一般に、切削インサート用取付機構に係り、より詳細には、切削工具の本体に取付られた丸型切削インサートの回転を阻止するための機構に関する。
【０００２】
【従来の技術】
フライス等の工具において使用されるインサートは、工具本体の外周に離間された相補形のポケット内に取り付けられる。インサートは一般的にインサートの中心に設けられる穴を介して挿入された締付ねじによってそれぞれのポケット内で固着される。切削動作の間、このようなインサートは、圧縮力及び振動力のみならず、インサートの切刃と工作物が成す角度によって生じるある量のトルクをしばしば受ける。丸型ではない切削インサートでは、このようなトルクによって、このようなインサートの角度付けされた側壁とそれらを受けるポケットの相補形壁部との間に締まりばめ嵌め（interference-type fit）によるインサートの回転が結果的に生じることはない。対照的に、このような機械的締まりは、本来、丸型インサートの円筒形又は切錐形の側壁とそれらを受けるポケットの円形壁部との間では生じないので、丸型インサートはそれぞれのポケット内で回転することができる。得られる回転は、それぞれのポケット内でインサートを固定する締付ねじを緩めことができる。締付ねじは、十分緩むと、それを囲むポケット内で激しく振動し、削られたり、亀裂が入ったりして、これによって、インサートが破壊されるだけでなく、工作物の切削の品質までだめになってしまう。
【０００３】
【発明が解決しようとする課題】
このような不要な回転を阻止するため、従来の技術においていくつかの回転防止機構が開発されてきた。このような機構の一つにおいて、複数の深い半径の凹部がインサートの側壁の周りに設けられる。インサートの周辺の凹部に対して形状において相補をなす工具本体内のインサート受け取りポケットの側壁に隣接するようにピンが提供される。動作上、インサートは、ポケットのピンがインサートの半円形の凹部のうちの一つに挿入された状態で、フライスのポケット又は他の工具のポケット内に取り付けられる。使用中、インサートは、ポケットから周期的に取り去り、部分的に回転させ、再び取りつけることにより、その切刃上の摩耗が均等になるように割出され、これによって、ピンは異なる凹部によって受け取られる。他のタイプの回転防止機構では、インサートの円形側壁の周辺にファセット（小面）の多角形パターンが設けられる。このような機構は米国特許第5,346,336号に開示されている。インサート受取りポケットにはインサートの小面を受け取るための相補形パターンの多角形壁が設けられる。インサートの割出しは、第１の機構に記述される方法とほぼ同様に実行される。
【０００４】
これらの機構は共に切削動作中の丸型インサートの回転を効果的に阻止するが、発明者は、各デザインに伴う多くの欠点に気が付いた。例えば、出願人は、最初のデザインに関しては、インサートの硬いカーバイド材料に形成された全半径の半円形の凹部の切刃が、ピンとピン軸に対してほぼ直角に配向される凹部の切刃との間の振動の結果としてポケット内のスチール製のピンを徐々にカットし得ることを観察した。更に、このような深い凹部をインサート本体の底部の回りに設けることによって、これらの凹部を形成するために必要な材料を取り除いた結果として、インサート本体の所望されない弱体化を生じることになる。米国特許第5,346,336号に開示されている停止機構は、欠点を有するが、上記の欠点とは異なる。例えば、インサートの本体の周りに設けられた小面は、ポケットの壁部とインサートのやや弱い底部との間の接触を避けるためにインサート受取りポケットの周りに設けられた平坦な壁部よりもやや鋭い角度で角度付けられる。しかしながら、このようなデザインによって提供される限定された接触によって、インサート小面の切刃とポケットの平坦な壁部との間にワンポイント接触が生じてしまう。更に、インサートとポケットの間の接触のみがインサートの上部に沿っているので、このインサートの比較的な小さな領域がインサートが工作物をカットするときにインサートとポケットの間に生成される応力の全てを吸収しなければならなくなる。これにより、インサートとポケットとの限定された、時にはワンポイント接触によって、経時的にインサートの局所的な欠け、ひび割れ、又は破壊を生じることになる。
【０００５】
インサートの本体又はそれを受けるポケットのいずれかにおいて、局所的な応力を生じることなく、このようなインサートが回転することを効果的に阻止する丸型インサートのための停止機構を提供することが明らかに必要とされる。このような停止機構は、理想的には、従来のインサート及びポケット構造になるように比較的簡単に一体化されるべきである。つまり、このような機構は、本来、ポケット壁部と切削動作中にインサートを支持するインサートとの間の主要界面とは無関係であるべきである。
【０００６】
【課題を解決するための手段】
本発明は、従来の技術に伴う上記の欠点の全てを克服する割出し可能インサートとインサート受取りポケットとの間の回転防止取付け機構である。このために、本発明は、各々がインサートの側面に対して傾斜して配置された部分を有する、インサート側面の周りに配置された複数の湾曲停止面と、インサート受取りポケット内に少なくとも一つの相補形回転防止面と、を有する。ポケット内の回転防止面は好ましくはポケット壁部と一体形成され、回転防止面と停止面は共に好ましくは緩やかに傾斜した部分的に円弧を有する曲線によって画定される。インサート停止面とポケット回転防止面との間に少量の空間が意図的に提供され、これによって、停止面と回転防止面が広範囲の線接触又はレンズ状面接触において互いに対向して着座する前にインサートが１°乃至１０°で回転できる。
【０００７】
インサートを弱体化するインサートの材料の除去を避けるため、丸型の停止面がインサートの側面に対してテーパリングされ、即ち、停止面がインサートの上面と下面の間で深さを広げ、これにより、インサートの側壁が連続した正弦曲線的パターンにおいてスカロップ（scallop）模様を形成しているように見える。更に、インサート壁とポケット壁の間の応力を均等にするために、ポケットは好ましくはインサートの丸型停止面の内の二つを同時に係合するための二つの回転防止面を有する。つまり、回転防止面は、好ましくは、ポケット側壁の下部に位置しており、これらの側壁の上部はインサート側壁の上部に係合して、インサートとポケットの間に第一の支持を提供する。
【０００８】
インサート側壁とポケット側壁の周りの部分的に円弧を有する曲線によって画定される傾斜して配置された相互嵌合面は、工具本体内のインサートとポケットの間で広範囲の線タイプ又はレンズ面タイプの接触のいずれかによって特徴付けられる締まりばめの接合面（interference joint）を提供し、これによって、インサート本体を削りとったりひびを入れたり又はインサート受取りポケットの壁部内に摩耗跡を作ってしまう点集中型の応力を回避することができる。ポケットの上部側壁とインサートの接触によって、停止面と回転防止面によって生成される締まりばめの接合面は、切削動作の結果生じるインサートとポケットの間にかかる負荷から、実質的に守られる。
【０００９】
【発明の実施の形態】
図面全体を通して同様の部品には同様の参照番号が付されている図１、図２、及び図３によれば、本発明の回転防止取付け機構１は、丸型インサート３がフライス９又は他の切削工具の本体７に存在するポケット５内を回転するのを阻止するように作用する。インサート３は、円形切刃１５内で成端する上面１３と、インサート３がフライス９の本体７に取付けられる時にポケット５のフロア１９を係合する底面１７と、を有する。インサート３は、上面１３と底面１７を相互に接続させる円錐台形の側壁２１を更に有する。ねじ穴２３は、締付ねじ２５のねじ付シャンクを受けるためにインサート３の本体を介して中心に配置される。ねじ付シャンク２４は、インサート３をフライス９の本体７上に固定するためにポケット５のフロア１９内の中心に配置されたねじ切りボア２７にねじ込まれる。このため、締付ねじ２５は、示されるようにレンチ受取り凹部３１を有するねじ頭２９を有する。
【００１０】
図２(ａ)、図２（ｂ）、及び図３によれば、本発明の取付け機構１は、一般に、インサート受取りポケット５の側壁内に存在する回転防止面３６と嵌合するとともに、インサート３の円錐台形の側壁２１の周りに均一に配置された複数の湾曲停止面３５を備える。以下に詳細に記述されるように、表面３５及び３６の相互嵌合によって、インサート３とポケット５の間に締まりばめの接合面が形成され、これによって、フライス切削作業中、インサートがポケット内で回転するのを効果的に停止できる。表面３５及び３６の特定の幾何学的な特徴が以下に詳細に記述される。
【００１１】
特に、図３に関しては、インサート３の側壁２１内の湾曲停止面３５の各々が、ほぼ相補的に湾曲した回転防止表面３６と締まりばめ接合面を形成するための一対の鏡対称形の傾斜係合部３７ａと３７ｂとを含む。各停止面３５の上限と下限は上端部３９及び下端部４１によって画定される。停止面３５の上端部３９と下端部４１の間での深さが徐々に大きくなるように各停止面３５の中央部４３は徐々に先細にされる。停止面３５の特徴は、図４を参照するとよくわかるだろう。好ましい実施の形態において、テーパＡの角度は約１５°である。このようなテーパリングは、停止面３５を形成するためにインサート３の本体から取り去るべき材料の量を有利に低減する。最後に、停止面３５の各々は、各面３５の上端部３９と下端部４１の間の鏡対称形のＳ字曲線によって形成された側端部４５ａと４５ｂによって画定される。停止面３５の均一な寸法そろえと勾配をつけた間隔設定によって、停止面３５の側端部４５ａと側端部４５ｂを形成する鏡対称形のＳ字曲線の組合せが、インサート３の側壁２１の円周に沿って連続的な正弦波状曲線を生成する。
【００１２】
図４、図５、及び図６に関しては、インサート受取りポケット５は、一対の対向ニブ５４ａ及び５４ｂが一体的に形成されている下部５２を有する側面５０を含む。ニブ５４ａ及び５４ｂの外面は、インサート３の湾曲停止面３５と嵌合前述の回転防止面と呼ばれる面３５を形成する。各回転防止面３６は、インサート３の停止面３５の部分３７ａ及び３７ｂを係合するようにデザインされた、図６に詳細に示された一対の対向係合部５８ａ及び５８ｂを有する。ポケット５の側面５０は、インサート３の上部側壁６４と直接接触するための、図４及び図５に示された、上部６０を有する。ポケット側面５０の上部６０とインサート３の上部側壁６４との間のこのような支持接触は、二つの理由から重要である。第１に、ポケット５の側面５０とインサート側壁２１の上部６０との広範囲の半円形接触によって、回転防止機構１を振動負荷からかわりに守る切削動作中、インサート３にかかる左右方向のそのような振動負荷の大部分が吸収される。第２に、このような構成によって、このような左右方向の振動の大部分がインサート３の最も強い部分、即ち、インサートの直径が最大とされて、湾曲停止面３５があるためにインサート本体の材料が殆ど又は全く取り除かれなかった上部側壁６４、に集中する。
【００１３】
回転防止機構１の動作は、図５、図６、及び図７に関して最もよく理解されるだろう。インサート３の停止面３５と回転防止面３６との間の曲率は、実質的に相補形であるものの、二つの面は一般的に数千分の１インチである距離Ｄだけ意図的に離間されている（図５を特に参照）。二つの面３５と３６の間の小さな隙間によって、インサート３を、締付ねじ２５を介してポケット５内に締め付けた後、１°乃至１０°の角度Ｂだけ回転させる。回転動作のこのような小さな幅によって、停止面３５の傾斜係合部３７ａ及び３７ｂの一つが、図６に示されるように、回転防止面３６の係合部分５８ａ及び５８ｂの一つと接触する。本明細書の前後関係において、前述の「傾斜」接触とは、係合部３７ａ及び５８ａに接線するように描かれているラインＣ1及びＣ2が円形インサート３の外周に直交しない角度で円形インサート１５の外周を横切ることをいう。停止面３５と回転防止面３６を画定する比較的に緩やかに傾斜する大きな、部分的に円弧を有する曲線によって、インサート３とニブ５４ａ及び５４ｂとの間に広範囲の線接触又はレンズ形接触が有利に生じる。ラインＣ1及びＣ2に沿ったこの接触の傾斜向きは、停止面３５の係合部３７ａ及び３７ｂと回転防止面３６の５８ａ及び５８ｂとの間に発生する接触力を、ポケット側面５０の下部５２の半径方向に分散させる傾向があり、これによって、ニブ５４ａ及び５４ｂが経時的にせん断されたり摩耗される傾向がなくなる。インサート上部側壁６４とポケット側面５０の上部６０との接触界面６２におけるインサート３とポケット５との間の横振動負荷の大部分の吸収は、インサート３とポケット５の係合部３７ａと係合部５８ａとの間の広範囲の傾斜接触と相俟って、インサートを、切削動作中にインサートに対して発生する点集中型応力によるひび割れ又は欠けから防止するのみならず、インサートポケット７のニブ５４ａ及び５４ｂとインサート３を形成する硬いカーバイド材料との間の摩耗を減少させる回転防止機構１を提供する結果となる。
【００１４】
本発明は、好ましい実施の形態に関して説明されてきたが、当業者には本発明に対して異なる変更、変形、及び付加を行うことが可能であることが理解されよう。例えば、回転防止機構１は、円形切刃を有するインサートについて記述されてきたが、湾曲した非円形の切刃を有するインサート、又はストレート切刃を有するインサートに用いることもできる。更に、好ましい実施の形態は、インサートポケット５内に一対の対向ニブ５４ａ及び５４ｂを有するが、より多数のニブ又は単一ニブだけを本発明を実施するために使用してもよい。ニブ５４ａ及び５４ｂは好ましくはポケット５の側面５０内に一体的に形成されるが、現存のフライス又は切削工具を用いて本発明を改良したいとするならば、これらは一体ではなく別個に設置されてもよい。全てのこのような変形、付加、及び変更は、添付クレームによってのみ限定される本発明の範囲を逸脱することがないように意図されている。
【図面の簡単な説明】
【図１】  本発明の回転防止取付機構を組み込んだフライスの斜視分解図である。
【図２（ａ）】  インサート受取りポケットと図１のフライスにおいて使用される切削インサートを示し、本発明の機構を形成する相補形の回転防止面を示す斜視図である。
【図２（ｂ）】  インサート受取りポケットと図１のフライスにおいて使用される切削インサートを示し、本発明の機構を形成する相補形の回転防止面を示す斜視図である。
【図３】  図２（ｂ）に示されたインサートを示し、インサートの側壁の周りで一体化された湾曲停止面を示す側面図である。
【図４】  図１に示されたフライスのインサート受取りポケット内に取り付けられた図３のインサートの側断面図である。
【図５】  図４のマルで囲まれた部分の拡大図であって、インサートの湾曲停止面とポケットの回転防止面との間に意図的に残された離間距離Ｄを示し、これによって両間での少量の相対回転が可能となる。
【図６】 図４の線６−６に沿って、取付けられたインサートを示す底面図である。
【図７】  図４の取付けられたインサートの平面図である。
【図１】
0004395264.tif 000002
【図２Ａ】
0004395264.tif 000003
【図２Ｂ】
0004395264.tif 000004
【図３】
0004395264.tif 000005
【図７】
0004395264.tif 000006
【図４】
0004395264.tif 000007
【図５】
0004395264.tif 000008
【図６】
0004395264.tif 000009